(57)【特許請求の範囲】
【請求項１】
無線ＬＡＮのアクセスポイント機器もしくはクライアント機器として動作可能なプロジェクターと無線ＬＡＮ端末との無線ＬＡＮ接続方法であって、
前記プロジェクターはＳＳＩＤを示す接続情報を投写し、
前記無線ＬＡＮ端末は、具備する入力部を介して前記接続情報を受け付け、さらにアクセスポイント機器として動作し、
前記プロジェクターはアクセスポイント機器として動作している前記無線ＬＡＮ端末をサイトサーベイにより検出し、
前記プロジェクターがクライアント機器として前記無線ＬＡＮ端末と接続する無線ＬＡＮ接続方法。
【請求項２】
請求項１記載の無線ＬＡＮ接続方法において、
前記接続情報は、ＳＳＩＤ、ＳＳＩＤを暗号化した情報、ＳＳＩＤを二次元データコードで表したもののいずれかである無線ＬＡＮ接続方法。
【請求項３】
請求項２記載の無線ＬＡＮ接続方法において、
前記ＳＳＩＤは前記プロジェクターが生成したものである無線ＬＡＮ接続方法。
【請求項４】
請求項２記載の無線ＬＡＮ接続方法において、
前記ＳＳＩＤは予め決められたものである無線ＬＡＮ接続方法。
【請求項５】
請求項１から請求項４記載の無線ＬＡＮ接続方法において、
前記ＳＳＩＤは、前記サイトサーベイにより検出された周辺のアクセスポイントのＳＳＩＤと異なるユニークなＳＳＩＤである無線ＬＡＮ接続方法。
【請求項６】
請求項１から請求項５記載の無線ＬＡＮ接続方法において、
前記プロジェクターが、無線ＬＡＮの動作モードを設定するために必要となる無線ＬＡＮ設定情報を前記無線ＬＡＮ端末に送り、
前記無線ＬＡＮ端末は、前記無線ＬＡＮ設定情報に応じた新たな無線ＬＡＮの設定を前記プロジェクターに送り、
前記プロジェクターは、前記新たな無線ＬＡＮの設定に応じて無線ＬＡＮの動作モードを切り替える、無線ＬＡＮ接続方法。
【請求項７】
無線ＬＡＮのアクセスポイント機器もしくはクライアント機器として動作可能なプロジェクターと無線ＬＡＮ端末からなる投写システムであって、
前記プロジェクターは、
ＳＳＩＤを示す接続情報を表示する映像信号を生成する映像信号生成部と、
周辺のアクセスポイントを検索するサイトサーベイ処理部と、を備え、
前記無線ＬＡＮ端末は、入力部を備え、該入力部を介して前記接続情報を受け付け、該接続情報に示されるＳＳＩＤのアクセスポイント機器として動作し、
前記プロジェクターは、アクセスポイント機器として動作している前記無線ＬＡＮ端末を前記サイトサーベイ処理部により検出すると、クライアント機器として前記無線ＬＡＮ端末と接続する無線ＬＡＮシステム。
【請求項８】
請求項７記載の投写システムにおいて、
前記接続情報は、ＳＳＩＤ、ＳＳＩＤを暗号化した情報、ＳＳＩＤを二次元データコードで表したもののいずれかである投写システム。
【請求項９】
請求項８記載の投写システムにおいて、
前記ＳＳＩＤは前記プロジェクターが生成したものである投写システム。
【請求項１０】
請求項８記載の投写システムにおいて、
前記ＳＳＩＤは予め決められたものである投写システム。
【請求項１１】
請求項７から請求項１０のいずれかに記載の投写システムにおいて、
前記ＳＳＩＤは、前記サイトサーベイ処理部により検出された周辺のアクセスポイントのＳＳＩＤと異なるユニークなＳＳＩＤである投写システム。
【請求項１２】
請求項７から請求項１１のいずれかに記載の投写システムにおいて
前記プロジェクターが、無線ＬＡＮの動作モードを設定するために必要となる無線ＬＡＮ設定情報を前記無線ＬＡＮ端末に送り、
前記無線ＬＡＮ端末は、前記無線ＬＡＮ設定情報に応じた新たな無線ＬＡＮの設定を前記プロジェクターに送り、
前記プロジェクターは、前記新たな無線ＬＡＮの設定に応じて無線ＬＡＮの動作モードを切り替える、投写システム。
【請求項１３】
無線ＬＡＮのアクセスポイント機器もしくはクライアント機器として動作可能な無線ＬＡＮ端末とともに投写システムを構成するプロジェクターであって、
ＳＳＩＤを示す接続情報を表示する映像信号を生成する映像信号生成部と、
周辺のアクセスポイントを検索するサイトサーベイ処理部と、を備え、
前記映像信号により表示した前記接続情報に示されるＳＳＩＤのアクセスポイント機器として動作している前記無線ＬＡＮ端末を前記サイトサーベイ処理部により検出すると、クライアント機器として前記無線ＬＡＮ端末と接続するプロジェクター。
【請求項１４】
請求項１３記載のプロジェクターにおいて、
前記接続情報は、ＳＳＩＤ、ＳＳＩＤを暗号化した情報、ＳＳＩＤを二次元データコードで表したもののいずれかであるプロジェクター。
【請求項１５】
請求項１４記載のプロジェクターにおいて、
前記ＳＳＩＤは前記プロジェクターが生成したものであるプロジェクター。
【請求項１６】
請求項１４記載のプロジェクターにおいて、
前記ＳＳＩＤは予め決められたものであるプロジェクター。
【請求項１７】
請求項１３から請求項１６のいずれかに記載のプロジェクターにおいて、
前記ＳＳＩＤは、前記サイトサーベイ処理部により検出された周辺のアクセスポイントのＳＳＩＤと異なるユニークなＳＳＩＤであるプロジェクター。
【請求項１８】
請求項１３から請求項１７のいずれかに記載のプロジェクターにおいて
無線ＬＡＮの動作モードを設定するために必要となる無線ＬＡＮ設定情報を前記無線ＬＡＮ端末に送った後に、前記無線ＬＡＮ端末からの前記無線ＬＡＮ設定情報に応じた新たな無線ＬＡＮの設定を受け付けると、前記新たな無線ＬＡＮの設定に応じて無線ＬＡＮの動作モードを切り替える、プロジェクター。
【発明の詳細な説明】
【技術分野】
【０００１】
本発明は、無線ＬＡＮ（Ｌｏｃａｌ  Ａｒｅａ  Ｎｅｔｗｏｒｋ）におけるアクセスポイント、または、クライアントとして動作する無線ＬＡＮ端末機能を有するプロジェクター、該プロジェクターの無線ＬＡＮ接続方法、投写システムに関する。
【背景技術】
【０００２】
近年、特許文献１−４に開示されるように、プロジェクターの中で、無線ＬＡＮを構築するアクセスポイント機器またはクライアント機器として機能するものが提案されている。【０００３】
この種のプロジェクターはアクセスポイントモードとインフラストラクチャモードで動作し、アクセスポイントモードのときには無線ＬＡＮのアクセスポイント機器として機能し、インフラストラクチャモードのときには無線ＬＡＮのクライアント機器として機能する。【０００４】
アクセスポイントモードではプロジェクターが無線ＬＡＮのアクセスポイントになり、無線ＬＡＮクライアント（無線端末）からの接続を待ち受ける。インフラストラクチャモードではプロジェクターが無線ＬＡＮクライアントになり、近隣の無線ＬＡＮのアクセスポイントに接続する。【０００５】
プロジェクターの無線ＬＡＮの動作モードの切り替えは、プロジェクターと通信可能な無線ＬＡＮ端末によって行うことの他に、赤外線リモコンによる遠隔無線操作による切り替え、プロジェクターに設けられた有線制御経路（有線ＬＡＮや、シリアル制御インタフェース、または、パラレル制御インタフェース）を用いた切り替え、もしくは、プロジェクターに設けられた操作パネルに直接ユーザーが指示入力を行うことによる切り替えが挙げられる。
【先行技術文献】
【特許文献】
【０００６】
【特許文献１】特開２０１４−２１６７３６号公報
【特許文献２】特開２０１０−１９３２３８号公報
【特許文献３】特開２００６−３５２１８８号公報
【特許文献４】特開２００５−２０２７５４号公報
【発明の概要】
【発明が解決しようとする課題】
【０００７】
プロジェクターの設置方法としては、机上に置くような床置き設置の他に、天井から吊り下げる天吊り設置がある。【０００８】
プロジェクターを天吊り設置した場合、プロジェクターに設けられた操作パネルに直接ユーザーが指示入力を行うことは困難となる。また、設置環境によっては赤外線リモコンの受信が困難となることやプロジェクターに設けられた有線制御経路を使用できないことがある。また、廉価なプロジェクターにはリモコン機能や有線制御経路の機能自体が存在しないものもある。【０００９】
このため、プロジェクターとともに無線ＬＡＮを構築する無線ＬＡＮ端末による通信でプロジェクターの無線ＬＡＮの動作モードを切り替えることは重要となる。ユーザーが無線ＬＡＮ端末からプロジェクターの無線ＬＡＮの動作モードを切り替える際には、現在のプロジェクターの動作モードに応じた入力を無線ＬＡＮ端末に行う必要がある。【００１０】
プロジェクターがアクセスポイントモードで動作している場合には、プロジェクターのアクセスポイントのＳＳＩＤ（Ｓｅｒｖｉｃｅ  Ｓｅｔ  Ｉｄｅｎｔｉｆｉｅｒ：サービスセット識別子）およびセキュリティキー、プロジェクターのＩＰ（Ｉｎｔｅｒｎｅｔ  Ｐｒｏｔｏｃｏｌ）アドレスをユーザーは無線ＬＡＮ端末に入力する必要がある。【００１１】
プロジェクターがインフラストラクチャモードで動作している場合には、プロジェクターが接続しているネットワークのアクセスポイントのＳＳＩＤおよびセキュリティキー、プロジェクターのＩＰアドレスをユーザーは無線ＬＡＮ端末に入力する必要がある。【００１２】
ユーザーは現在のプロジェクターの無線ＬＡＮの動作モードに応じた入力を無線ＬＡＮ端末へ行うことで、プロジェクターを無線ＬＡＮの経路で操作できるようにして、プロジェクターの無線ＬＡＮの動作モードを切り替えることになる。【００１３】
無線ＬＡＮを用いて動作モードを切り替えるときには、ユーザーが入力する無線ＬＡＮの設定に応じて新たな動作モードに切り替えられ、それまで接続していた無線ＬＡＮの通信が切断される。このとき、ユーザーが行った無線ＬＡＮの設定が誤っていると、動作モードの切り替え後には無線ＬＡＮによる接続経路が確立されていないため、無線ＬＡＮによる通信でプロジェクターを操作することができなくなってしまう。【００１４】
本発明は、動作モードが切り替えられた場合でも、プロジェクターと無線ＬＡＮ端末の無線ＬＡＮ経路による接続経路を確立することのできる無線ＬＡＮ端末機能を有するプロジェクター、該プロジェクターの無線ＬＡＮ接続方法、投写システムを実現する。
【課題を解決するための手段】
【００１５】
本発明の無線ＬＡＮ接続方法は、無線ＬＡＮのアクセスポイント機器もしくはクライアント機器として動作可能なプロジェクターと無線ＬＡＮ端末との無線ＬＡＮ接続方法であって、
前記プロジェクターはＳＳＩＤを示す接続情報を投写し、
前記無線ＬＡＮ端末は、具備する入力部に前記接続情報が入力され、さらにアクセスポイント機器として動作し、
前記プロジェクターはアクセスポイント機器として動作している前記無線ＬＡＮ端末をサイトサーベイにより検出し、
前記プロジェクターがクライアント機器として前記無線ＬＡＮ端末と接続する。【００１６】
本発明の投写システムは、無線ＬＡＮのアクセスポイント機器もしくはクライアント機器として動作可能なプロジェクターと無線ＬＡＮ端末からなる投写システムであって、
前記プロジェクターは、
ＳＳＩＤを示す接続情報を表示する映像信号を生成する映像信号生成部と、
周辺のアクセスポイントを検索するサイトサーベイ処理部と、を備え、
前記無線ＬＡＮ端末は、入力部を備え、該入力部に前記接続情報が入力されると、該接続情報に示されるＳＳＩＤのアクセスポイント機器として動作し、
前記プロジェクターは、アクセスポイント機器として動作している前記無線ＬＡＮ端末を前記サイトサーベイ処理部により検出すると、クライアント機器として前記無線ＬＡＮ端末と接続する。【００１７】
本発明のプロジェクターは、無線ＬＡＮのアクセスポイント機器もしくはクライアント機器として動作可能な無線ＬＡＮ端末とともに投写システムを構成するプロジェクターであって、
ＳＳＩＤを示す接続情報を表示する映像信号を生成する映像信号生成部と、
周辺のアクセスポイントを検索するサイトサーベイ処理部と、を備え、
アクセスポイント機器として動作している前記無線ＬＡＮ端末を前記サイトサーベイ処理部により検出すると、クライアント機器として前記無線ＬＡＮ端末と接続する。
【発明の効果】
【００１８】
上記の構成を備える本発明では、動作モードが切り替えられた場合でも、プロジェクターと無線ＬＡＮ端末の無線ＬＡＮ経路による接続経路が確立される。
【図面の簡単な説明】
【００１９】
【図１】本発明による投写システムの一実施形態の構成を示すブロック図である。
【図２】プロジェクター１００と、無線ＬＡＮ端末２００の構成を示すブロック図である。
【図３】（ａ）は制御部１０４の構成を示すブロック図、（ｂ）は制御部２０４の構成を示すブロック図である。
【図４】ユーザーが無線ＬＡＮ端末２００に誤った無線ＬＡＮの設定をしてしまった場合の各部の動作を示すシーケンス図である。
【図５】プロジェクター１００の電源投入直後に無線ＬＡＮの設定を行う場合の動作を示すシーケンス図である。
【図６】本発明の実施形態の動作を示すシーケンス図である。
【図７】本発明の実施形態の動作を示すシーケンス図である。
【図８】本発明の実施形態の動作を示すシーケンス図である。
【図９】本発明の実施形態の動作を示すシーケンス図である。
【図１０】本発明の実施形態の動作を示すシーケンス図である。
【発明を実施するための形態】
【００２０】
次に、本発明の実施形態について図面を参照して説明する。
【００２１】
第１の実施形態
図１は、本発明による投写システムの一実施形態の構成を示すブロック図である。
【００２２】
本実施形態の投射システムは、プロジェクター１００と、無線ＬＡＮ端末２００から構成される。プロジェクター１００は、無線ＬＡＮ端末２００から送られてくるデータに応じた映像を、例えば、図示されるスクリーン３００や壁等の投写面に投写する。
【００２３】
図２は、プロジェクター１００と、無線ＬＡＮ端末２００の構成を示すブロック図である。
【００２４】
プロジェクター１００は、アンテナ１０１、無線通信処理部１０２、記憶部１０３、制御部１０４、画像処理部１０５、駆動部１０６、照明光学系１０７、画像形成部１０８、および、投写光学系１０９を備えている。無線ＬＡＮ端末２００は、アンテナ２０１、無線通信処理部２０２、記憶部２０３、制御部２０４、入力部２０５、および、表示部２０６を備えている。
【００２５】
まず、プロジェクター１００の構成および動作について説明する。
【００２６】
画像処理部１０５、駆動部１０６、照明光学系１０７、画像形成部１０８、および、投写光学系１０９は一般的なプロジェクターに設けられるもので、アンテナ１０１、無線通信処理部１０２、および制御部１０４を介して無線ＬＡＮ端末２００から送られてきた画像データに基づく映像を投写する。
【００２７】
画像処理部１０５は画像データに示されるコントラストやシャープネスが実現される画像信号を生成し、駆動部１０６に出力する。駆動部１０６は画像信号に基づいて画像形成部１０８の動作を制御するもので、照明光学系１０７からの照明光は画像信号に応じて変調された画像光となり、投写光学系１０９にて拡大されて投写光１１０として投写される。画像形成部１０８としては、ＤＭＤ（Ｄｉｇｉｔａｌ  Ｍｉｃｒｏｍｉｒｒｏｒ  Ｄｅｖｉｃｅ）や液晶表示素子を用いることができる。また、照明光学系の光源としては、レーザーダイオード（Ｌａｓｅｒ  Ｄｉｏｄｅ）やＬＥＤ（Ｌｉｇｈｔ  Ｅｍｉｔｔｉｎｇ  Ｄｉｏｄｅ）を用いることができ、さらに、これらを励起光とする蛍光体を組み合わせたものを使用することができる。
【００２８】
図３（ａ）は制御部１０４の構成を示すブロック図である。制御部１０４は、一般的な制御機能の他に、アクセスポイント機能部１０４ａ、クライアント機能部１０４ｂ、サイトサーベイ処理部１０４ｃ、ＳＳＩＤ生成部１０４ｄ、映像信号生成部１０４ｅ、および、切り替え部１０４ｆを備えている。
【００２９】
アクセスポイント機能部１０４ａはプロジェクター１００が無線ＬＡＮにおけるアクセスポイント機器として機能する（アクセスポイントモード）際の処理を行い、クライアント機能部１０４ｂはプロジェクター１００が無線ＬＡＮにおけるクライアント機器として機能する（インフラストラクチャモード）際の処理を行う。
【００３０】
サイトサーベイ処理部１０４ｃはサイトサーベイを行って周辺の無線ＬＡＮのアクセスポイントの検索を実行する。ここで、サイトサーベイとは、周辺の無線ＬＡＮの電波の状況を調査することであり、この調査によって周辺に存在するアクセスポイントのＳＳＩＤや電波強度を知ることができる。
【００３１】
ＳＳＩＤ生成部１０４ｄはサイトサーベイ処理部１０４ｃのサイトサーベイにより得られた検索結果から周辺の無線ＬＡＮのアクセスポイントのＳＳＩＤと異なるＳＳＩＤを生成する。このＳＳＩＤの生成については、例えば、プロジェクター１００の無線ＬＡＮのＭＡＣアドレス（Ｍｅｄｉａ  Ａｃｃｅｓｓ  Ｃｏｎｔｒｏｌ  Ａｄｄｒｅｓｓ）を元にＳＳＩＤを生成することが挙げられる。
【００３２】
映像信号生成部１０４ｅはＳＳＩＤ生成部１０４ｄで生成されたＳＳＩＤを投写する画像信号を生成する。このＳＳＩＤの投写は、投写されている映像に重畳する形態で投写してもよく、また、単独で表示することとしてもよい。
【００３３】
切り替え部１０４ｆは、アンテナ１０１および無線通信処理部１０２を介して入力される無線ＬＡＮ端末２００からの入力内容に応じて、上記の各部のいずれを動作させるかの切り替えを行う。
【００３４】
記憶部１０３は、制御部１０４を動作させるプログラムや、自身のＭＡＣアドレス、および、プロジェクター１００が無線ＬＡＮを構成する際の予め定められた設定情報を格納するもので、切り替え部１０４ｆは、各種プログラムを読み出すことにより、図３（ａ）に示した制御部１０４の各部の機能を実現させる。設定情報としては、自身のＳＳＩＤ、セキュリティキー、投写システムを構成する無線ＬＡＮ端末２００のセキュリティキーが含まれる。
【００３５】
次に、無線ＬＡＮ端末２００の構成および動作について説明する。
【００３６】
入力部２０５はタッチパネルを用いて構成され、ユーザーからの入力を受け付けるもので、受け付けた入力内容を制御部２０４へ出力する。入力部２０５への入力内容としては、ＳＳＩＤやプロジェクター１００の無線ＬＡＮに関する設定入力などが挙げられる。
【００３７】
表示部２０６は、液晶パネルなどで構成され、制御部２０４から送られてくる表示信号に応じた画像を表示する。
【００３８】
図３（ｂ）は制御部２０４の構成を示すブロック図である。制御部２０４は、一般的な制御機能の他に、アクセスポイント機能部２０４ａ、クライアント機能部２０４ｂ、表示信号生成部２０４ｃ、および、切り替え部２０４ｄを備えている。
【００３９】
アクセスポイント機能部２０４ａは無線ＬＡＮ端末２００が無線ＬＡＮにおけるアクセスポイント機器として機能する際の処理を行い、クライアント機能部２０４ｂは無線ＬＡＮ端末２００が無線ＬＡＮにおけるクライアント機器として機能する際の処理を行う。
【００４０】
表示信号生成部２０４ｃは、アンテナ２０１および無線通信処理部２０２を介してプロジェクター１００から送られてきた情報に応じて表示部２０６に画像を表示させる表示信号を生成する。
【００４１】
切り替え部２０４ｄは、アンテナ２０１および無線通信処理部２０２を介してプロジェクター１００から入力される入力内容に応じて、上記の各部のいずれを動作させるかの切り替えを行う。
【００４２】
記憶部２０３は、制御部２０４を動作させるプログラムや、投写システムを構成するプロジェクター１００のＭＡＣアドレスなどを格納するもので、切り替え部２０４ｄは、各種プログラムを読み出すことにより、図３（ｂ）に示した制御部２０４の各部の機能を実現させる。
【００４３】
次に、本実施形態の動作について、図４ないし図１０のシーケンス図を参照して説明する。図４ないし図１０のシーケンス図は、本実施形態における、プロジェクター１００、無線ＬＡＮ端末２００および本実施形態を利用するユーザーの動作を示す図である。
【００４４】
図４は、ユーザーが無線ＬＡＮ端末２００に誤った無線ＬＡＮの設定をしてしまった場合の各部の動作を示し、図５はプロジェクター１００の電源投入直後に無線ＬＡＮの設定を行う場合の動作を示している。各動作のいずれの場合も、この後には図６および図７に示される共通のシーケンスに移行する。
【００４５】
まず、図４に示されるユーザーが無線ＬＡＮ端末２００に誤った無線ＬＡＮの設定をしてしまった場合の動作について説明する。
【００４６】
開始時の状態として、プロジェクター１００と無線ＬＡＮ端末２００のいずれも起動状態とされ、プロジェクター１００は映像を投写し、また、プロジェクター１００と無線ＬＡＮ端末２００はアンテナ１０１，２０１、無線通信処理部１０２，２０２を介する無線ＬＡＮ経路で接続している。この状態で、ユーザーが無線ＬＡＮ端末２００の入力部２０５に誤った無線ＬＡＮの設定を入力すると、無線ＬＡＮ端末２００からプロジェクター１００へ誤った無線ＬＡＮの設定が送信される。
【００４７】
プロジェクター１００では、無線ＬＡＮ端末２００から送られてきた誤った無線ＬＡＮの設定にしたがって無線ＬＡＮの動作モードの切り替えが行われ（ステップＳ１０１）、プロジェクター１００と無線ＬＡＮ端末２００との無線ＬＡＮ経路は切断される。
【００４８】
誤った無線ＬＡＮの設定がアクセスポイントモードとして機能することを示すものであれば切り替え部１０４ｆはアクセスポイント機能部１０４ａを起動させ、プロジェクター１００は無線ＬＡＮにおけるアクセスポイント機器として機能する。また、誤った無線ＬＡＮの設定がインフラストラクチャモードとして機能することを示すものであれば切り替え部１０４ｆはクライアント機能部１０４ｂを起動させ、プロジェクター１００は無線ＬＡＮにおけるクライアント機器として機能する。
【００４９】
次に、図５に示されるプロジェクター１００の電源投入直後に無線ＬＡＮの設定を行う場合の動作について説明する。
【００５０】
開始時の状態としては、プロジェクター１００は電源がＯＦＦとされ、無線ＬＡＮ端末２００は起動状態とされる。当然ながら、プロジェクター１００と無線ＬＡＮ端末２００とは無線ＬＡＮで未接続の状態となっている。
【００５１】
プロジェクター１００は、電源が投入されて起動状態となると映像の投写を開始する（ステップＳ２０１）。ここでの映像は予め記憶部１０３に記憶されている初期時の投写映像などが投写される。
【００５２】
この後、プロジェクター１００は、予め記憶部１０３に初期動作モードとして記憶されている動作モードにて無線ＬＡＮの動作を開始する（Ｓ２０２）。
【００５３】
図４もしくは図５に示した動作の後、図６および図７に示される動作に移行する。
【００５４】
図６において、プロジェクター１００は誤った無線ＬＡＮの設定若しくは初期状態であるので、無線ＬＡＮ経路は切断される。その後、プロジェクター１００は１分間待機（スリープ）した後（ステップＳ３０１）、サイトサーベイ処理部１０４ｃによりサイトサーベイを行って周辺のアクセスポイントを検索する（ステップＳ３０２）。待機時間は１分に限らず、必要十分な時間が確保できれば良い。
【００５５】
次に、ＳＳＩＤ生成部１０４ｄにより、ステップＳ３０２におけるサイトサーベイにより得られた周辺の無線ＬＡＮのアクセスポイントのＳＳＩＤと異なるＳＳＩＤを接続情報として生成し、映像信号生成部１０４ｅにより、生成されたＳＳＩＤをＯＳＤ（Ｏｎ−Ｓｃｒｅｅｎ  Ｄｉｓｐｌａｙ）にて表示させる映像信号を生成し、投写面であるスクリーンに表示する（ステップＳ３０３）。このＳＳＩＤの生成については自身のＭＡＣアドレスを用いることなどにより周辺の無線ＬＡＮのアクセスポイントのＳＳＩＤと異なるものとすることができる。また、ＯＳＤで表示させる代わりに、表示画像にＳＳＩＤを重畳させてスクリーンに表示させてもよい。
【００５６】
ユーザーは、スクリーンに表示されたＳＳＩＤを確認し（ステップＳ３０４）、無線ＬＡＮ端末２００の入力部２０５にＳＳＩＤとして入力する。
【００５７】
無線ＬＡＮ端末２００は動作モードをアクセスポイントモードに切り替え（ステップＳ３０５）、アクセスポイント機能部２０４ａはユーザーが入力したＳＳＩＤを設定し（ステップＳ３０６）、プロジェクター１００からの接続を待つ（ステップＳ３０７）。
【００５８】
プロジェクター１００では、ステップＳ３０３の後に１分間待機（スリープ）した後（ステップＳ３０８）、サイトサーベイ処理部１０４ｃによりサイトサーベイを行って周辺のアクセスポイントを検索する（ステップＳ３０９）。
【００５９】
ステップＳ３０９におけるサイトサーベイの結果、ステップＳ３０３にて生成したＳＳＩＤと一致するアクセスポイントが見つからなかった場合にはステップＳ３０８へ戻り、ステップＳ３０３にて生成したＳＳＩＤと一致するアクセスポイントが見つかった場合には、無線ＬＡＮのモードをインフラストラクチャモードへ切り替える（ステップＳ３１１）。この後、クライアント機能部１０４ｂは、生成したＳＳＩＤと記憶する無線ＬＡＮ端末２００のセキュリティキーを用いてアクセスポイントである無線ＬＡＮ端末２００に接続する。このとき、プロジェクターのネットワークの設定はＤＨＣＰ（Ｄｙｎａｍｉｃ  Ｈｏｓｔ  Ｃｏｎｆｉｇｕｒａｔｉｏｎ  Ｐｒｏｔｏｃｏｌ）ありとする。
【００６０】
無線ＬＡＮ端末２００では、プロジェクター１００の接続を検知すると（ステップＳ３１２）、アクセスポイント機能部２０４ａがプロジェクター１００へＩＰアドレスを割当て、無線ＬＡＮの動作モードを設定するために必要となる無線ＬＡＮの設定情報を要求する。ここで、接続してきた無線ＬＡＮクライアントがプロジェクター１００であるかの確認は、プロジェクター１００固有のＩＤであるＭＡＣアドレスにより行っているが、この他にも、ＭＡＣアドレス以外のプロジェクター１００固有のＩＤから判定することとしてもよい。また、無線ＬＡＮの設定情報としては、以下が含まれる。
【００６１】
（１）：プロジェクターの記憶部１０３に格納している無線ＬＡＮの動作モード
（２）：（１）の動作モードがインフラストラクチャならば、プロジェクターの記憶部１０３に格納しているインフラストラクチャモードで動作するために必要な設定（接続対象のアクセスポイントのＳＳＩＤやセキュリティキー）および、インターネットプロトコルで通信するために必要な設定（ＤＨＣＰを利用する・しない、ＤＨＣＰを利用しない場合はＩＰアドレスやサブネットマスク、ゲートウェイアドレス）。
【００６２】
（３）：（１）の動作モードがインフラストラクチャアクセスポイントならば、プロジェクターの記憶部１０３に格納しているアクセスポイントモードで動作するために必要な設定（アクセスポイントのＳＳＩＤ、セキュリティ方式、セキュリティキー）および、インターネットプロトコルで通信するために必要な設定（ＩＰアドレスやサブネットマスク）。
【００６３】
無線ＬＡＮ端末２００はプロジェクター１００が送信した無線ＬＡＮの設定情報を取得すると、表示信号生成部２０４ｃは取得した無線ＬＡＮの設定情報に基づいたプロジェクター１００の無線ＬＡＮの動作モードを設定する画面を表示部２０６に表示させる画像信号を生成し、これにより表示部２０６にプロジェクター１００の無線ＬＡＮの動作モードを設定する画面が表示される（ステップＳ３１３）。表示される画面構成としては、各種の設定を選択入力する形態が挙げられるが、特に限定されるものではない。
【００６４】
無線ＬＡＮ端末２００の表示部２０６を確認したユーザーは、プロジェクター１００の無線ＬＡＮの動作モードをあらたに設定する入力を入力部２０５に行い、これにより、無線ＬＡＮ端末２００は新たな無線ＬＡＮの設定をプロジェクター１００に送信する。
【００６５】
プロジェクター１００では、無線ＬＡＮの動作モードを受信した新たな無線ＬＡＮの設定に応じて切り替える（ステップＳ３１４）。その後、ステップＳ３０１へ戻る。ステップＳ３１４における新たな動作モードの設定により、プロジェクター１００と無線ＬＡＮ端末２００は無線ＬＡＮ経路において接続されていない状態となるが、新たな動作モードの設定が必要となった場合には、ステップＳ３０４にて投写面に表示されるＳＳＩＤを入力して上記と同様の動作を行う。
【００６６】
以上説明した本実施形態では、プロジェクター１００がユニークなＳＳＩＤを生成し、その表示を契機として無線ＬＡＮ端末２００がアクセスポイントモードとなり、表示されたＳＳＩＤが設定される。
【００６７】
プロジェクター１００はＳＳＩＤを表示した後には表示（生成）したＳＳＩＤの検索を行い、発見した場合には無線ＬＡＮの動作モードをインフラストラクチャモードに切り替え、アクセスポイントである無線ＬＡＮ端末２００へ接続する。このように、ユーザーはプロジェクター１００にどのような無線ＬＡＮの設定がされようともプロジェクター１００と無線ＬＡＮ端末２００を無線ＬＡＮで接続することができる。
【００６８】
本実施形態では、プロジェクター１００の映像信号生成部１０４ｅはＳＳＩＤを示す接続情報としてＳＳＩＤをそのまま表示するものとして説明したが、接続情報としてＳＳＩＤを暗号化したものを表示し、無線ＬＡＮ端末２００が復号機能を有するものとしてもよい。この場合、暗号化されたＳＳＩＤを無線ＬＡＮ端末２００に入力すると、無線ＬＡＮ端末がＳＳＩＤを復号して上記と同様の動作が行われる。このような構成とした場合には、ＳＳＩＤが直接表示されないため、セキュリティ効果を向上することができる。
【００６９】
また、プロジェクター１００の映像信号生成部１０４ｅは、接続情報として生成したユニークなＳＳＩＤを二次元データコードで表示するものとし、無線ＬＡＮ端末２００が二次元データコードの解析機能を有するものとしてもよい。このような構成とすることによりＳＳＩＤを入力する手間が省ける、ＳＳＩＤが直接表示されないためセキュリティ効果を向上することができる、等の効果を奏する。
【００７０】
第２の実施形態
次に、本発明の第２の実施形態について説明する。
【００７１】
第１の実施形態においては、無線ＬＡＮ端末２００に設定されるＳＳＩＤはプロジェクター１００により生成されていたのに対し、本実施形態においては、ユーザーが予め決定した接続用ＳＳＩＤをプロジェクター１００の記憶部１０３、無線ＬＡＮ端末２００の記憶部２０３に登録する。このため、図３（ａ）に示したＳＳＩＤ生成部１０４ｄおよび映像信号生成部１０４ｅが不要となる。この他の構成は第１の実施形態と同じであるため、本実施形態の説明は図２および図３に示した符号を用いて説明する。
【００７２】
図８は、ユーザーが予め決定したＳＳＩＤの登録手順を示すシーケンス図である。
【００７３】
ユーザーが予め決定した接続用ＳＳＩＤを無線ＬＡＮ端末２００の入力部２０５へ入力すると、該接続用ＳＳＩＤは記憶部２０３に保存され（ステップＳ５０１）、また、プロジェクター１００へ送信される。プロジェクター１００は送られてきた接続用ＳＳＩＤを記憶部１０３に保存する（ステップＳ５０２）。
【００７４】
図９および図１０は投写システムの起動時の動作を示すシーケンス図である。
【００７５】
上記のように、接続用ＳＳＩＤが登録されたプロジェクター１００は、電源が投入されて起動状態となると、映像の投写を開始する（ステップＳ６０１）。ここでの映像は予め記憶部１０３に記憶されている初期時の投写映像などが投写される。この後、プロジェクター１００は、予め記憶部１０３に初期動作モードとして記憶されている動作モードにて無線ＬＡＮの動作を開始する（Ｓ６０２）。
【００７６】
次に、記憶部１０３に保存されている接続用ＳＳＩＤを読出し（ステップＳ６０３）、１分間待機（スリープ）した後（ステップＳ６０４）、サイトサーベイ処理部１０４ｃによりサイトサーベイを行って周辺のアクセスポイントを検索する（ステップＳ６０５）。
【００７７】
ステップＳ６０５におけるサイトサーベイの結果、ステップＳ６０３にて読み出した接続用ＳＳＩＤと一致するアクセスポイントが見つからなかった場合にはステップＳ６０４へ戻る（ステップＳ６０６）。
【００７８】
一方、無線ＬＡＮ端末２００は、ユーザーによるプロジェクター１００と接続する旨の入力を無線ＬＡＮ端末２００の入力部２０５が受け付けると、記憶部２０３に保存されている接続用ＳＳＩＤを読出し（ステップＳ６０７）、動作モードをアクセスポイントモードに切り替え（ステップＳ３０５）、アクセスポイント機能部２０４ａは接続用ＳＳＩＤを設定し、プロジェクター１００からの接続を待つ。
【００７９】
プロジェクター１００は、ステップＳ６０６において、ステップＳ６０３にて読み出した接続用ＳＳＩＤと一致するアクセスポイントが見つかった場合には、無線ＬＡＮのモードをインフラストラクチャモードへ切り替える（ステップＳ６０９）。この後、クライアント機能部１０４ｂはアクセスポイント（無線ＬＡＮ端末２００）に接続する。このとき、プロジェクターのネットワークの設定はＤＨＣＰありとする。
【００８０】
無線ＬＡＮ端末２００では、プロジェクター１００の接続を検知すると（ステップＳ６１０）、アクセスポイント機能部２０４ａがプロジェクター１００へＩＰアドレスを割当て、無線ＬＡＮの動作モードを設定するために必要となる無線ＬＡＮの設定情報を要求する。ここで、接続してきた無線ＬＡＮクライアントがプロジェクター１００であるかの確認は、プロジェクター１００固有のＩＤであるＭＡＣアドレスにより行っているが、この他にも、ＭＡＣアドレス以外のプロジェクター１００固有のＩＤから判定することとしてもよい。  無線ＬＡＮ端末２００はプロジェクター１００が送信した無線ＬＡＮの設定情報を取得すると、表示信号生成部２０４ｃは取得した無線ＬＡＮの設定情報に基づいたプロジェクター１００の無線ＬＡＮの動作モードを設定する画面を表示部２０６に表示させる画像信号を生成し、これにより表示部２０６にプロジェクター１００の無線ＬＡＮの動作モードを設定する画面が表示される（ステップＳ６１１）。表示される画面構成としては、各種の設定を選択入力する形態が挙げられるが、特に限定されるものではない。
【００８１】
無線ＬＡＮ端末２００の表示部２０６を確認したユーザーは、プロジェクター１００の無線ＬＡＮの動作モードをあらたに設定する入力を入力部２０５に行い、これにより、無線ＬＡＮ端末２００は新たな無線ＬＡＮの設定をプロジェクター１００に送信する。
【００８２】
プロジェクター１００では、無線ＬＡＮの動作モードを受信した新たな無線ＬＡＮの設定に応じて切り替える（ステップＳ６１２）。その後、ステップＳ６０４へ戻る。ステップＳ６１２における新たな動作モードの設定により、プロジェクター１００と無線ＬＡＮ端末２００は無線ＬＡＮ経路において接続されていない状態となるが、上記と同様の動作が行われることにより、プロジェクター１００と無線ＬＡＮ端末２００は無線ＬＡＮ経路において接続され、無線ＬＡＮ端末２００の表示部２０６にはプロジェクター１００の無線ＬＡＮの動作モードを設定する画面が表示される。ユーザーは新たな動作モードの設定が必要となった場合には、無線ＬＡＮ端末２００の入力部２０５へ入力を行う。
【００８３】
以上説明した本実施形態では、ユニークなＳＳＩＤを動的に生成するのではなく、あらかじめ決めたＳＳＩＤをプロジェクターと無線ＬＡＮ端末に登録しておくため、プロジェクターがＳＳＩＤを表示する必要がなくなる。この結果、接続のたびにＳＳＩＤを入力する手間が省くことができる。また、ＳＳＩＤを表示しないためセキュリティの効果がある。また、投写映像にＳＳＩＤを重畳することがなくなり、映像の投写を妨げることがなくなる。  
【符号の説明】
【００８４】
１００プロジェクター
１０１，２０１    アンテナ
１０２，２０２    無線通信処理部
１０３，２０３    記憶部
１０４，２０４    制御部
１０５    画像処理部
１０６    駆動部
１０７    照明光学系
１０８    画像形成部
１０９    投写光学系
２００    無線ＬＡＮ端末
１１０    投写光
２０５    入力部
２０６    表示部
３００    スクリーン
【図１】
0006679116.tif 000002
【図２】
0006679116.tif 000003
【図３】
0006679116.tif 000004
【図４】
0006679116.tif 000005
【図５】
0006679116.tif 000006
【図６】
0006679116.tif 000007
【図７】
0006679116.tif 000008
【図８】
0006679116.tif 000009
【図９】
0006679116.tif 000010
【図１０】
0006679116.tif 000011